(57)【特許請求の範囲】
【請求項１】
表面に配送情報を記入する一方、裏面には、非接触型ＩＣチップとこのＩＣチップをはさんで分離状態とした２つの第１のアンテナとを設けてなるＩＣチップ接着片を接着してなる配送伝票であって、配送伝票裏面には、分離状態とした２つの第２のアンテナを設けるとともに、粘着剤を設け、この粘着剤を前記ＩＣチップ接着片の全体が露出するように切り欠いた剥離紙で被覆し、前記２つの第１のアンテナと前記２つの第２のアンテナが、分離状態とした各部分同士で互いに接触するように、前記ＩＣチップ接着片を前記粘着剤によって配送伝票裏面の剥離紙切り欠き部分に対応して接着したことを特徴とする配送伝票。
【発明の詳細な説明】
【技術分野】
【０００１】
本発明は、配送作業で使用する配送伝票に関し、特に、非接触型ＩＣチップを備えた配送伝票に関する。
【背景技術】
【０００２】
従来の配送伝票は、表面に配送情報を記入し、この配送情報を目視により確認して配送作業を行う一方、着店コードと称される配送地域を特定する番号や、配送伝票に固有の伝票番号を、各別に手書きによる数字やバーコードで表示しておき、バーコード表示の場合にはこれをバーコードリーダで読み取って配送作業の管理を行っているのが一般的である（例えば特許文献１参照）。また、非接触方式でデータの送受信を行うアンテナとＩＣチップ設けたＩＣラベルを配送伝票の表面に貼付して配送作業にともなうデータ管理を行うことも知られている（例えば特許文献２参照）。
【０００３】
【特許文献１】特開２００３−３４１２５６号公報
【特許文献２】特開平１１−１３４４６０号公報
【発明の開示】
【発明が解決しようとする課題】
【０００４】
配送作業を効率的に行うには、機械読み取りしたデータの活用が不可欠であるが、従来のバーコード情報は、情報量が少なく、着店コードまたは伝票番号程度しか情報化できないために、配送作業の充分な効率化はできなかった。また、バーコードリーダで読み取るために、バーコード自体を表面に表示する必要があり、汚れなどによる読み取りエラーを生じることがあるという問題もあった。一方、ＩＣラベルを表面に貼付した配送伝票は、ＩＣラベルを貼付した状態では円滑な印字作業を行えないので、ＩＣラベルのＩＣチップに対する配送情報のデータ入力と、配送伝票に対する配送情報の印字記入を、貼付する前に互いに関連性を持たずに各別に行うため、これら情報のマッチングミスが起きやすいという問題があった。
【０００５】
本発明は、このような事情に鑑みてなされたもので、ＩＣチップを利用して、配送作業の効率化に貢献できるとともに、入力情報のマッチングミスを起こさない配送伝票を提供することを目的とする。
【課題を解決するための手段】
【０００６】
この目的を達成するために、本発明の請求項１に記載した配送伝票は、表面に配送情報を記入する一方、裏面には、非接触型ＩＣチップとこのＩＣチップをはさんで分離状態とした２つの第１のアンテナとを設けてなるＩＣチップ接着片を接着してなる配送伝票であって、配送伝票裏面には、分離状態とした２つの第２のアンテナを設けるとともに、粘着剤を設け、この粘着剤を前記ＩＣチップ接着片の全体が露出するように切り欠いた剥離紙で被覆し、前記２つの第１のアンテナと前記２つの第２のアンテナが、分離状態とした各部分同士で互いに接触するように、前記ＩＣチップ接着片を前記粘着剤によって配送伝票裏面の剥離紙切り欠き部分に対応して接着したものである。
【０００７】
【０００８】
【発明の効果】
【０００９】
本発明の請求項１に記載した配送伝票によれば、ＩＣチップを内蔵したまま印字できるので、配送伝票に印字後、別途データ入力したＩＣチップを接着する際に生じるマッチングミスがないとともに、前記ＩＣチップのデータに基づいて確実な配送管理を行うことができ、さらにまた、ＩＣチップの記憶容量が異なる複数種類のＩＣチップ接着片を用意することにより、要求される機能に応じたＩＣチップ接着片を選択的に設けることができるという効果を奏する。
【００１０】
【発明を実施するための最良の形態】
【００１１】
以下、添付図面に基づいて本発明に係る配送伝票をデパートや、通信販売会社における商品の大量配送に適用した場合の好適な実施形態を説明する。ここにおいて、図１は必要な情報を印字した配送伝票の表面側を示す概略的な平面図、図２は同じくその裏面側を示す概略的な平面図、図３はアンテナの印刷状態を示す概略的な平面図、図４はＩＣチップ接着片を示す平面図、図５は配送伝票の概略的な断面図である。
【００１２】
本実施形態は特に、宅配便で、印刷物などの届け先での受領印が不要な商品を、大量に配送するのに用いると好適なものである。図１に示すように、配送伝票１は、感熱紙からなり、その表面には、届け先記入欄２と、依頼主記入欄３と、品名記入欄４とを設けている。追って、前記届け先記入欄２には届け先情報１２を印字し、前記依頼主記入欄３には依頼主情報１３を印字し、前記品名記入欄４には品名情報１４を印字するとともに、前記品名記入欄４の下には伝票番号を示すバーコード５を印字するものである。
【００１３】
図３に示すように、配送伝票１の裏面には、印刷によって、左右対称的に分離している面状のアンテナ６をほぼ全面的に設けている。図４に示す、非接触型のＩＣチップ７を設けたＩＣチップ接着片８には、前記アンテナ６と接触する、左右対称的で前記ＩＣチップ７を挟んで分離している面状のアンテナ６ａを印刷で設けている。このＩＣチップ接着片８は、配送伝票裏面の、図３に示す仮想線Ｐで示す位置に接着する。
【００１４】
この配送伝票１の裏面には、ＩＣチップ７対応部分を除いて、粘着剤９を塗布し（図５参照）、この粘着剤９によって、ＩＣチップ接着片８を、アンテナ６とアンテナ６ａとが接触するように所定位置Ｐに接着している。このアンテナ６，６ａは静電容量タイプのもので、左右に分離した部分の静電容量の差によって、ＩＣチップ７に信号が流れる。
【００１５】
図２及び図５に示すように、配送伝票１裏面の粘着剤９は、剥離紙１０で被覆している。そして、この剥離紙１０のＩＣチップ接着片８に対応する部分は、切り欠かれている。この剥離紙１０を剥離して、露出した粘着剤９により、配送伝票１は配送品に貼付されるものである。
【００１６】
【００１７】
続いて、配送伝票１の使用方法について説明する。まず、商品配送元では、商品配送管理データをあらかじめ入力してあるメインコンピュータの出力装置である感熱プリンタに大量の配送伝票１を順次かけて、図１に示すように、届け先記入欄２、依頼主記入欄３、品名記入欄４にそれぞれ、届け先情報１２、依頼主情報１３、品名情報１４を印字するとともに、伝票番号を示すバーコード５も印字する。この印字動作に際しては、ＩＣチップ７は露出していないので、感熱プリンタの移送は円滑になされ、印字も正確になされる。
【００１８】
次いで、ＩＣチップ７に、印字したバーコードによる伝票番号を含む配送情報と同一内容の情報及び配送地域を特定するコードを、メインコンピュータに接続したリーダライタからの無線通信信号により書き込む。なお、この情報の書き込みを印字前に行い、その後、同一内容を感熱プリンタで印字するようにしてもよいほか、印字と同時に、書き込み動作を行ってもよいものである。
【００１９】
そして、各記入欄２，３，４に配送情報を印字し、バ−コード５をも印字してＩＣチップ７にデータ入力した配送伝票１の裏面側の剥離紙１０を剥離し、露出した粘着剤９で前記配送伝票１の裏面側を所定の配送品あるいはその包装容器の適所に貼付する。配送伝票１を貼付した配送品は、配送センターに送られ、配送センターでは、到達時に各配送品毎にＩＣチップ７のデータ及びバーコード５を読み取って確認するとともに、この読み取ったデータに基づいて配送先の属する地域センター毎に仕分けし、当該地域センターへの出荷をメインコンピュータに記録して、配送する。
【００２０】
各地域センターでは、同様に、到着した配送品のＩＣチップ７のデータ及びバーコード５を読み取って確認するとともに、この読み取ったデータに基づいて配送先毎にさらに仕分けしたうえ、メインコンピュータに出荷を記録して、届け先情報１２として記載された届け先に配送し、配送作業を終了する。
【００２１】
このように、配送伝票１に設けた伝票番号を示すバーコード５を、上述のＩＣチップ７のデータ読み取り時に読み取って、前記ＩＣチップ７のデータと併用するので、配送作業の管理をより確実に行うことができる。
【００２２】
なお、本発明は上述した実施形態に限定されるものではなく、例えば、バーコード５は設けなくてもよい。また、アンテナ６の形状は図示のものに限定されないが、好ましくは面状で、その面積はなるべく広いことが望ましい。さらに、アンテナ６は静電容量タイプのものに限らない。またさらに、上述の実施形態では、感熱紙を用いたので、プリンタは感熱プリンタを用いたが、他の用紙を採用する場合には、レーザプリンタやインキジェットプリンタなどの他のプリンタを使用することができる。
【図面の簡単な説明】
【００２３】
【図１】一実施形態を示す必要な情報を記入した配送伝票の表面側を示す概略的な平面図。
【図２】同じく裏面側を示す概略的な平面図。
【図３】同じくアンテナの印刷状態を示す概略的な平面図。
【図４】同じくＩＣチップ貼着片を示す平面図。
【図５】同じく配送伝票の概略的な断面図。
【符号の説明】
【００２４】
１      配送伝票
２      届け先記入欄
３      依頼主記入欄
４      品名記入欄
５      バーコード
６，６ａ      アンテナ
７      ＩＣチップ
８      ＩＣチップ接着片
９      粘着剤
１０      剥離紙
１２      届け先情報
１３      依頼主情報
１４      品名情報
【図１】
0004728268.tif 000002
【図２】
0004728268.tif 000003
【図３】
0004728268.tif 000004
【図４】
0004728268.tif 000005
【図５】
0004728268.tif 000006